(57)【要約】【課題】アクティブ・マトリクス型の電気光学装置において、発光素子の駆動時にその消費電力を低減することが可能な電気光学装置、電気光学装置の駆動方法、および電子機器を提供することを目的とする。【解決手段】表示マトリクス部１０５の行方向に沿って配列された画素回路２００群の各有機ＥＬ素子２１０に複数の電荷回収線Ｌ（Ｎ，Ｍ）を接続し、電荷回収部１０４は、有機ＥＬ素子２１０の容量２１０ａに蓄積される電荷を電荷回収線Ｌ（Ｎ，Ｍ）を介して回収して、電気光学装置のロジック回路部の少なくとも一部の電力として再利用する。【選択図】        図１
2005227337.tif 000002
【特許請求の範囲】
【請求項１】
アクティブ・マトリクス駆動される電気光学装置において、
電流駆動型の発光素子を含む複数の画素回路がマトリクス状に配列された表示マトリクス部と、
前記表示マトリクス部の行方向に沿って配列された画素回路群にそれぞれ接続された
複数の走査線と、
前記表示マトリクス部の列方向に沿って配列された画素回路群にそれぞれ接続された
複数のデータ線と、
前記表示マトリクス部の行方向に沿って配列された画素回路群の各発光素子にそれぞれ接続された複数の電荷回収線と、
前記複数の走査線に接続され、前記表示マトリクス部の１つの行を選択するための走査線駆動回路と、
前記発光素子の発光の階調に応じたデータ信号を生成して、前記複数のデータ線のうちの少なくとも１つのデータ線上に出力するデータ線駆動回路と、
前記発光素子に蓄積される電荷を前記電荷回収線を介して回収して、電気光学装置のロジック回路部の少なくとも一部の電力として再利用する電荷回収部と、
を備えたことを特徴とする電気光学装置。
【請求項２】
前記電荷回収部は、
前記発光素子に蓄積される電荷を蓄積するための電荷蓄積用コンデンサと、
前記発光素子に蓄積される電荷を前記電荷蓄積用コンデンサに転送するための回収タイミング信号を生成して、電荷回収回路に出力する回収タイミング生成回路と、
前記電荷蓄積用コンデンサに蓄積された電荷を前記ロジック回路部の少なくとも一部の電力として供給するための再利用タイミング信号を生成して、前記電荷回収回路に出力する再利用タイミング生成回路と、
前記回収タイミング信号に従って、前記発光素子の容量に蓄積された電荷を前記電荷蓄積用コンデンサに転送し、また、前記再利用タイミング信号に従って、前記電荷蓄積用コンデンサに蓄積された電荷を、前記ロジック回路部の少なくとも一部の電力として再利用する前記電荷回収回路と、
を含むことを特徴とする請求項１に記載の電気光学装置。
【請求項３】
前記電荷回収部は、
前記走査線駆動回路によって走査線が選択される期間内に、当該選択された走査線に接続される前記画素回路群の発光素子に蓄積される電荷を前記電荷蓄積用コンデンサに転送して充電し、かつ、当該電荷蓄積用コンデンサに蓄積される電荷を、前記ロジック回路部の少なくとも一部の電力として供給することを特徴とする請求項２に記載の電気光学装置。
【請求項４】
前記電荷蓄積用コンデンサは、複数の電荷蓄積用コンデンサが直列接続されており、
当該直列接続された複数の電荷蓄積用コンデンサの電荷を、前記ロジック回路部の少なくとも一部の電力として供給することを特徴とする請求項２または請求項３に記載の電気光学装置。
【請求項５】
さらに、前記複数のデータ線の寄生容量をプリチャージするためのプリチャージ回路を備え、
前記直列接続された複数の電荷蓄積用コンデンサの電荷は、前記プリチャージ回路に電力として供給されることを特徴とする請求項４に記載の電気光学装置。
【請求項６】
前記発光素子は、有機ＥＬ素子であることを特徴とする請求項４に記載の電気光学装置。
【請求項７】
請求項１〜請求項６のいずれか１つに記載の電気光学装置を搭載したことを特徴とする電子機器。
【請求項８】
電流駆動型の発光素子を含む複数の画素回路がマトリクス状に配列された表示マトリクス部と、前記表示マトリクス部の行方向に沿って配列された画素回路群にそれぞれ接続された複数の走査線と、前記表示マトリクス部の列方向に沿って配列された画素回路群にそれぞれ接続された複数のデータ線と、前記表示マトリクス部の行方向に沿って配列された画素回路群の各発光素子にそれぞれ接続された複数の電荷回収線と、前記複数の走査線に接続され、前記表示マトリクス部の１つの行を選択するための走査線駆動回路と、前記発光素子の発光の階調に応じたデータ信号を生成して、前記複数のデータ線のうちの少なくとも１つのデータ線上に出力するデータ線駆動回路と、を備えたアクティブ・マトリクス駆動される電気光学装置の駆動方法において、
前記発光素子に蓄積される電荷を前記電荷回収線を介して回収して、前記電気光学装置のロジック回路部の少なくとも一部の電力として再利用する電荷回収再利用工程を含むことを特徴とする電気光学装置の駆動方法。
【請求項９】
前記電荷回収再利用工程は、
前記発光素子の容量に蓄積される電荷を、電荷蓄積用コンデンサに転送するための回収タイミング信号を生成する回収タイミング信号生成工程と、
前記回収タイミング信号に従って、前記発光素子に蓄積された電荷を前記電荷蓄積用コンデンサに転送して充電する電荷回収工程と、
前記電荷蓄積用コンデンサに蓄積された電荷をロジック回路部の少なくとも一部の電力として供給するための再利用タイミング信号を生成する再利用タイミング信号生成工程と、
前記再利用タイミング信号に従って、前記電荷蓄積用コンデンサに蓄積された電荷を、前記ロジック回路部の少なくとも一部の電力として再利用する電荷再利用工程と、
を含むことを特徴とする請求項８に記載の電気光学装置の駆動方法。
【請求項１０】
前記電荷回収再利用工程では、
前記走査線駆動回路によって走査線が選択される期間内に、当該選択された走査線に接続される画素回路群の発光素子に蓄積される電荷を前記電荷蓄積用コンデンサに転送して充電し、かつ、前記電荷蓄積用コンデンサに蓄積される電荷を、前記ロジック回路部の少なくとも一部の電力として供給することを特徴とする請求項９に記載の電気光学装置の駆動方法。
【請求項１１】
前記蓄積用コンデンサは、複数の電荷蓄積用コンデンサが直列接続されており、
前記電荷回収再利用工程では、
前記直列接続された複数の電荷蓄積用コンデンサの電荷が、前記ロジック回路部の少なくとも一部の電力として利用されることを特徴とする請求項９または請求項１０に記載の電気光学装置の駆動方法。
【請求項１２】
さらに、前記複数のデータ線の寄生容量をプリチャージ回路によりプリチャージするプリチャージ工程を含み、
前記直列接続された複数の電荷蓄積用コンデンサの電荷は、前記プリチャージ回路に供給されることを特徴とする請求項１１に記載の電気光学装置の駆動方法。
【請求項１３】
前記発光素子は、有機ＥＬ素子であることを特徴とする請求項８〜請求項１２のいずれか１つに記載の電気光学装置の駆動方法。
【発明の詳細な説明】
【技術分野】
【０００１】
本発明は、電気光学装置、電気光学装置の駆動方法、および電子機器に関し、詳細には、アクティブマトリクス駆動法によって駆動される電気光学装置において、消費電力を低減するのに好適な電気光学装置、電気光学装置の駆動方法、および電子機器に関する。
【背景技術】
【０００２】
近年、携帯電話やＰＤＡ（Personal Digital Assistance）などの電子機器に、有機ＥＬやＬＥＤなどの自発光素子により表示を行う表示装置が用いられつつある。この理由は、同じようなディスプレイ・デバイスとして用いられる液晶装置と比較すると、コントラスト比が高い点や、視野角依存性が小さい点、応答が高速である点、バックライトまたはフロントライトが不要であり、これに伴って薄型化（条件によっては低消費電力化）に有利である点などが評価されているからである。
【０００３】
自発光素子により表示を行う表示装置は、駆動方式によって分類すると、液晶装置と同様に、トランジスタ等の能動素子を用いて画素を駆動するアクティブ・マトリクス型と、能動素子を用いないで画素を駆動するパッシブ・マトリクス型とに大別することができる。このうち、前者に係るアクティブ・マトリクス型では、画素毎に表示を制御することができるので、高解像度化しても高い表示能力を確保することができる点や、画素に少ない電流を比較的長時間流すことができるので、駆動電圧が低くて済み、低消費電力化に有利である点などにおいて、後者に係るパッシブ・マトリクス型と比較して有利とされている。
【０００４】
従来の有機ＥＬ装置においては、各ＥＬ素子からの電荷の放電を、各ＥＬ素子の電極を単に接地させることにより行っていたため、各行の表示の際に、ＥＬ素子に充電した電荷はその都度捨てられることになり、ＥＬ素子の駆動のための消費電力が大きくなってしまうという問題があった。
【０００５】
そこで、こうした問題を解決するために、特許文献１では、パッシブ・マトリクス型のＥＬ装置において、選択期間を終えたＥＬ素子に蓄積された電荷を電荷蓄積用のコンデンサに蓄え、つぎに選択されるＥＬ素子に電荷を移すことにより、次に選択される発光素子は、既に発光のための閾値電圧付近まで充電がなされているため、発光閾値電圧に達成するまでの電源側からの充電電流を低減して、ＥＬ素子の駆動時の消費電力を低減させることが提案されている。
【０００６】
また、特許文献２では、パッシブ・マトリクス型のＥＬ装置において、走査電圧を印加する走査電極（表示行）の切替時に、正電圧または負電圧供給ラインに走査電圧を印加していない状態で、次の表示行と電圧供給ラインとを接続するＦＥＴをＯＮして、表示制御終了後にＥＬ素子に蓄積された電荷の一部を次の表示行のＥＬ素子に直接移動させることにより、ＥＬ素子の駆動時の消費電力を低減させることが提案されている。
【０００７】
【特許文献１】特開昭６３−１６８９９８号公報
【特許文献２】特開平８−１０６９８２号公報
【発明の開示】
【発明が解決しようとする課題】
【０００８】
しかしながら、上記特許文献１，２の技術を、画質および消費電力の点で優れるアクティブ・マトリクス型のＥＬ装置に適用した場合には、アクティブ・マトリクス型のＥＬ装置においては、ＥＬ素子が非発光となる期間は、通常、階調データを書き込む期間のみであるため、ＥＬ素子の発光が終了し非発光となるタイミングでＥＬ素子の電荷を取り出したとしても、次に選択されるＥＬ素子は非発光となるため省電力化を図ることはできないという問題がある。また、特許文献１，２の技術では、ＥＬ素子に蓄積した電荷の再利用は、昇圧動作を行っていないため、ＥＬ素子の発光閾値以上の電圧レベルの電源等には電荷を移すことができないという問題がある。
【０００９】
本発明は、上記課題に鑑みてなされたものであり、アクティブ・マトリクス型の電気光学装置において、発光素子の駆動時にその消費電力を低減することが可能な電気光学装置、電気光学装置の駆動方法、および電子機器を提供することを目的とする。
【課題を解決するための手段】
【００１０】
上述した課題を解決し、目的を達成するために、本発明は、アクティブ・マトリクス駆動される電気光学装置において、電流駆動型の発光素子を含む複数の画素回路がマトリクス状に配列された表示マトリクス部と、前記表示マトリクス部の行方向に沿って配列された画素回路群にそれぞれ接続された複数の走査線と、前記表示マトリクス部の列方向に沿って配列された画素回路群にそれぞれ接続された複数のデータ線と、前記表示マトリクス部の行方向に沿って配列された画素回路群の各発光素子にそれぞれ接続された複数の電荷回収線と、前記複数の走査線に接続され、前記表示マトリクス部の１つの行を選択するための走査線駆動回路と、前記発光素子の発光の階調に応じたデータ信号を生成して、前記複数のデータ線のうちの少なくとも１つのデータ線上に出力するデータ線駆動回路と、前記発光素子に蓄積される電荷を前記電荷回収線を介して回収して、電気光学装置のロジック回路部の少なくとも一部の電力として再利用する電荷回収部と、を備えたことを特徴とする。
【００１１】
これにより、アクティブマトリクス駆動される電気光学装置において、電荷回収部は、発光素子に蓄積される電荷を電荷回収線を介して回収して、電気光学装置のロジック回路部の少なくとも一部の電力として再利用することにより、アクティブ・マトリクス型の電気光学装置において、発光素子の駆動時にその消費電力を低減することができる。この結果、アクティブ・マトリクス型の電気光学装置において、発光素子の駆動時にその消費電力を低減することが可能な電気光学装置を提供することができる。
【００１２】
また、本発明の好ましい態様によれば、前記電荷回収部は、前記発光素子に蓄積される電荷を蓄積するための電荷蓄積用コンデンサと、前記発光素子に蓄積される電荷を前記電荷蓄積用コンデンサに転送するための回収タイミング信号を生成して、電荷回収回路に出力する回収タイミング生成回路と、前記電荷蓄積用コンデンサに蓄積された電荷をロジック回路部の少なくとも一部の電力として供給するための再利用タイミング信号を生成して、前記電荷回収回路に出力する再利用タイミング生成回路と、前記回収タイミング信号に従って、前記発光素子の容量に蓄積された電荷を電荷蓄積用コンデンサに転送し、また、前記再利用タイミング信号に従って、前記電荷蓄積用コンデンサに蓄積された電荷を、前記ロジック回路部の少なくとも一部の電力として再利用する前記電荷回収回路と、を含むことが望ましい。
【００１３】
これにより、電荷回収部は、発光素子に蓄積される電荷を電荷蓄積用コンデンサに転送して蓄積し、当該電荷蓄積用コンデンサに蓄積された電荷をロジック回路部の少なくとも一部の電力として利用することができ、簡単な回路構成および制御で発光素子に蓄積される電荷の回収および再利用を行うことができる。
【００１４】
また、本発明の好ましい態様によれば、前記電荷回収部は、前記走査線駆動回路によって走査線が選択される期間内に、当該選択された走査線に接続される画素回路群の発光素子に蓄積される電荷を前記電荷蓄積用コンデンサに転送して充電し、かつ、当該電荷蓄積用コンデンサに蓄積される電荷を、前記ロジック回路部の少なくとも一部の電力として供給することが望ましい。
【００１５】
これにより、走査線選択期間内に、当該走査線に接続される画素回路群の発光素子に蓄積される電荷の回収および利用を行うことができ、発光素子に蓄積される電荷の効率的な回収および利用を行うことができる。
【００１６】
また、本発明の好ましい態様によれば、前記電荷蓄積用コンデンサは、複数の電荷蓄積用コンデンサが直列接続されてなり、当該直列接続された複数の電荷蓄積用コンデンサの電荷を、前記ロジック回路部の少なくとも一部の電力として供給することが望ましい。これにより、直列接続された複数の電荷蓄積用コンデンサの電荷をロジック回路部の少なくとも一部の電力として供給することができ、発光素子の発光閾値電圧以上の電力を再利用することができる。
【００１７】
また、本発明の好ましい態様によれば、さらに、前記複数のデータ線の寄生容量をプリチャージするためのプリチャージ回路を備え、前記直列接続された複数の電荷蓄積用コンデンサの電荷は、前記プリチャージ回路に電力として供給されることが望ましい。これにより、プリチャージ回路に発光素子の発光閾値電圧以上の電力を供給することができ、データ線の電圧を発光用電源電圧付近まで上昇させることができる。
【００１８】
また、本発明の好ましい態様によれば、前記発光素子は、有機ＥＬ素子であることが望ましい。これにより、有機ＥＬ素子を備えたアクティブ・マトリクス駆動される電気光学装置において、有機ＥＬ素子の駆動時にその消費電力を低減することができる。
【００１９】
また、本発明の好ましい態様によれば、請求項１〜請求項６のいずれか１つに記載の電気光学装置を電子機器に搭載することが望ましい。これにより、発光素子の駆動時にその消費電力を低減することが可能な電気光学装置を搭載した電気光学装置を提供することができる。
【００２０】
上述した課題を解決し、本発明の目的を達成するために、本発明は、電流駆動型の発光素子を含む複数の画素回路がマトリクス状に配列された表示マトリクス部と、前記表示マトリクス部の行方向に沿って配列された画素回路群にそれぞれ接続された複数の走査線と、前記表示マトリクス部の列方向に沿って配列された画素回路群にそれぞれ接続された複数のデータ線と、前記表示マトリクス部の行方向に沿って配列された画素回路群の各発光素子にそれぞれ接続された複数の電荷回収線と、前記複数の走査線に接続され、前記表示マトリクス部の１つの行を選択するための走査線駆動回路と、前記発光素子の発光の階調に応じたデータ信号を生成して、前記複数のデータ線のうちの少なくとも１つのデータ線上に出力するデータ線駆動回路と、を備えたアクティブ・マトリクス型の電気光学装置の駆動方法において、前記発光素子に蓄積される電荷を前記電荷回収線を介して回収して、前記電気光学装置のロジック回路部の少なくとも一部の電力として再利用する電荷回収再利用工程を含むことを特徴とする。
【００２１】
これにより、アクティブマトリクス駆動される電気光学装置において、電荷回収再利用工程では、発光素子に蓄積される電荷を電荷回収線を介して回収して、電気光学装置のロジック回路部の少なくとも一部の電力として再利用することにより、アクティブ・マトリクス型の電気光学装置において、発光素子の駆動時にその消費電力を低減することができる。この結果、発光素子の駆動時にその消費電力を低減することが可能なアクティブ・マトリクス駆動される電気光学装置の駆動方法を提供することができる。
【００２２】
また、本発明の好ましい態様によれば、前記電荷回収再利用工程は、前記発光素子の容量に蓄積される電荷を、電荷蓄積用コンデンサに転送するための回収タイミング信号を生成する回収タイミング信号生成工程と、前記回収タイミング信号に従って、前記発光素子の容量に蓄積された電荷を前記電荷蓄積用コンデンサに転送して充電する電荷回収工程と、前記電荷蓄積用コンデンサに蓄積された電荷をロジック回路部の少なくとも一部の電力として供給するための再利用タイミング信号を生成する再利用タイミング信号生成工程と、前記再利用タイミング信号に従って、前記電荷蓄積用コンデンサに蓄積された電荷を、前記ロジック回路部の少なくとも一部の電力として再利用する電荷再利用工程と、を含むことが望ましい。
【００２３】
これにより、電荷回収再利用工程では、発光素子に蓄積される電荷を電荷蓄積用コンデンサに転送して蓄積し、当該電荷蓄積用コンデンサに蓄積された電荷をロジック回路部の少なくとも一部の電力として利用することができ、簡単な回路構成および制御で発光素子に蓄積される電荷の回収および再利用を行うことができる。
【００２４】
また、本発明の好ましい態様によれば、前記電荷回収再利用工程では、前記走査線駆動回路によって走査線が選択される期間内に、当該選択された走査線に接続される画素回路群の発光素子に蓄積される電荷を前記電荷蓄積用コンデンサに転送して充電し、かつ、前記電荷蓄積用コンデンサに蓄積される電荷を、前記ロジック回路部の少なくとも一部の電力として供給することが望ましい。
【００２５】
これにより、走査線選択期間内に、当該走査線に接続される画素回路群の発光素子に蓄積される電荷の回収および利用を行うことができ、発光素子に蓄積される電荷の効率的な回収および利用を行うことができる。
【００２６】
また、本発明の好ましい態様によれば、前記電荷蓄積用コンデンサは、複数の電荷蓄積用コンデンサが直列接続されており、前記電荷回収再利用工程では、当該直列接続された複数の電荷蓄積用コンデンサの電荷が、前記ロジック回路部の少なくとも一部の電力として利用されることが望ましい。これにより、直列接続された複数の電荷蓄積用コンデンサの電荷をロジック回路部の少なくとも一部の電力として供給することができ、発光素子の発光閾値電圧以上の電力を再利用することができる。
【００２７】
また、本発明の好ましい態様によれば、さらに、前記複数のデータ線の寄生容量をプリチャージ回路によりプリチャージするプリチャージ工程を含み、前記直列接続された複数の電荷蓄積用コンデンサの電荷は、前記プリチャージ回路に電力として利用されることが望ましい。これにより、プリチャージ回路に発光素子の発光閾値電圧以上の電力を供給することができ、データ線の電圧を発光用電源電圧付近まで上昇させることができる。
【００２８】
また、本発明の好ましい態様によれば、前記発光素子は、有機ＥＬ素子であることが望ましい。これにより、有機ＥＬ素子を備えたアクティブ・マトリクス駆動される電気光学装置の駆動方法において、有機ＥＬ素子の駆動時にその消費電力を低減することができる。
【発明を実施するための最良の形態】
【００２９】
以下に、この発明につき図面を参照しつつ詳細に説明する。本明細書において、「電気光学装置」とは、電気信号を光に変換する装置を言う。また、「ロジック回路部」とは、画素回路を駆動するための広義の回路群を言う。なお、この実施例によりこの発明が限定されるものではない。また、下記実施例における構成要素には、当業者が容易に想定できるものまたは実質的に同一のものが含まれる。
【実施例１】
【００３０】
図１は実施例１にかかる電気光学装置１００の概略構成を示すブロック図である。実施例１に係る電気光学装置１００は、図１に示すように、コントローラ１０１と、データ線駆動回路１０２と、走査線駆動回路１０３と、電荷回収部１０４と、表示マトリクス部１０５と、昇圧回路１０６と、電圧安定化回路１０７と、バッテリ１０８と、逆流防止用ダイオード１０９と、安定化コンデンサ１１０とを備えている。
【００３１】
コントローラ１０１は、電気光学装置内の各部を制御するとともに、表示マトリクス部１０５に表示を行わせるための走査線駆動信号とデータ線駆動信号を生成して、走査線駆動回路１０３とデータ線駆動回路１０２にそれぞれ供給する。データ線駆動回路１０２は、表示マトリクス部１０５のデータ線を駆動する。走査線駆動回路１０３は、表示マトリクス部１０５の走査線を駆動する。電荷回収部１０４は、表示マトリクス部１０５の発光素子の容量に蓄積される電荷を回収して、電圧安定化回路１０７に供給する。バッテリ１０８は、例えば、蓄電池や二次電池からなり、逆流防止用ダイオード１０９および安定化コンデンサ１１０を介して、電源電圧を電圧安定化回路１０７に供給する。逆流防止用ダイオード１０９は、電荷蓄積用コンデンサ（図４参照）の電荷がバッテリ１０８へ流れ込むことを防止する。安定化コンデンサ１１０は電圧安定化回路１０７の入力電圧を安定化させる。
【００３２】
電圧安定化回路１０７は、降圧回路などで構成されており、入力電圧を一定レベルの出力電圧で出力するためのものであり、バッテリ１０８から逆流防止用ダイオード１０９および電荷蓄積用コンデンサ１１０を介して入力される電圧を、一定レベルの出力電圧Ｖｃｃにして、コントローラ１０１、データ線駆動回路１０２、走査線駆動回路１０３、電荷回収部１０４、および昇圧回路１０６に供給する。昇圧回路１０７は、昇圧チョッパ回路等により構成されており、電圧安定化回路１０７から入力される電圧Ｖｃｃを電圧ＶＯＬに昇圧して、表示マトリクス部１０５の電源線に供給する。
【００３３】
実施例１においては、表示マトリクス部１０５以外の回路群（コントローラ１０１、データ線駆動回路１０２、走査線駆動回路１０３、電荷回収部１０４、表示マトリクス部１０５と、昇圧回路１０６と、電圧安定化回路１０７と、バッテリ１０８と、逆流防止用ダイオード１０９と、安定化コンデンサ１１０）がロジック回路部に該当する。なお、画像処理回路や画像メモリ等が搭載される場合には、これらもロジック回路部に含まれる。
【００３４】
図２は、図１の表示マトリクス部１０５の内部構造を示す図である。表示マトリクス部１０５は、マトリクス状に配列されたＮ×Ｍ個の画素回路２００を有しており、画素回路２００のマトリクスには、その列方向に沿って伸びるＭ本のデータ線Ｘ（ｍ＝１〜Ｍ）および電源線２３０と、行方向に沿って伸びるＮ本の走査線Ｙ（ｎ＝１〜Ｎ）と、各有機ＥＬ素子２１０に接続され、行方向に沿って伸びるＭ×Ｎ本の電荷回収線Ｌ（ｍ＝１〜Ｍ、ｎ＝１〜Ｎ）とがそれぞれ接続されている。有機ＥＬ素子は、フォトダイオードと同様の電流注入型（電流駆動型）の発光素子であるので、ダイオード２１０で図示している。なお、データ線は「ソース線」とも呼ばれ、また、走査線は「ゲート線」とも呼ばれる。
【００３５】
コントローラ１０１（図１参照）は、表示マトリクス部１０５の表示状態を表す表示データ（画像データ）を、各有機ＥＬ素子２１０の発光の階調を表すマトリクスデータに変換する。マトリクスデータは、１行分の画素回路群を順次選択するための走査線駆動信号と、選択された画素回路群の有機ＥＬ素子２１０に供給するデータ線信号のレベルを示すデータ線駆動信号とを含んでいる。走査線駆動信号とデータ線駆動信号は、走査線駆動回路１０３とデータ線駆動回路１０２にそれぞれ供給される。コントローラ１０１は、また、走査線Ｙ（ｎ）とデータ線Ｘ（ｍ）の駆動タイミングのタイミング制御を行う。
【００３６】
走査線駆動回路１０３は、コントローラ１０１から供給されるゲート線駆動信号（ＹＣＬＫ、ＹＳＰ）に基づいて、走査線に走査線選択信号を供給して、複数の走査線Ｙ（ｎ）の中の１本を選択的に駆動して１行分の画素回路群を選択する。データ線駆動回路１０２は、コントローラ１０１から供給されるデータ線駆動信号に基づいて、各データ線Ｘ（１）〜（Ｍ）を介して画素回路２１０にデータ信号を供給する。このデータ信号に応じて画素回路２００の内部状態（後述する）が設定されると、これに応じて有機ＥＬ素子２１０に流れる電流値が制御され、この結果、有機ＥＬ素子２１０の発光の階調が制御される。
【００３７】
図３は、画素回路２００の内部構成を示す回路図である。この画素回路２００は、ｍ番目のデータ線とｎ番目の走査線Ｙｎとの交点に配置されている回路である。各画素回路２００は、素子駆動回路２２０と有機ＥＬ素子２１０をそれぞれ有している。同図において、有機ＥＬ素子２１０の容量を２１０ａで図示している。画素回路２００内の素子駆動回路２２０は、データ線Ｘ（ｍ）を介して保持キャパシタ２２３に電荷を蓄積する際に使用されるスイッチＴＦＴ２２１と、有機ＥＬ素子２１０に流れる電流値を制御するための駆動ＴＦＴ２２２と、保持キャパシタ２２３とを有している。スイッチＴＦＴ２２１のゲート電極（Ｇ）は走査線Ｙ（ｎ）に接続され、そのソース電極（Ｓ）は、データ線Ｘ（ｍ）に接続され、そのドレイン電極（Ｄ）は、駆動ＴＦＴ２２２のゲート電極（Ｇ）および保持キャパシタ２２３の一端と接続されている。
【００３８】
また、駆動ＴＦＴ２２２のゲート電極（Ｇ）は、スイッチＴＦＴ２２１のドレイン電極（Ｄ）および保持キャパシタ２２３の一端と接続され、そのソース電極（Ｓ）は電源線２３０と接続され、そのドレイン電極（Ｄ）は、有機ＥＬ素子２１０に接続されている。保持キャパシタ２２３は、その一端が電源線２３０に接続され、他端がスイッチＴＦＴ２２１のドレイン電極（Ｄ）と駆動ＴＦＴ２２２のゲート電極（Ｇ）間に接続されている。
【００３９】
画素回路２００の駆動動作を説明する。図３において、走査線駆動回路１０３は、走査線Ｙ（ｎ）から走査線選択信号を入力してスイッチＴＦＴ２２１をオン状態とし，この状態で、データ線駆動回路１０２は、データ線Ｘ（ｍ）に、有機ＥＬ素子２１０の発光輝度に対応したデータ信号を入力する。これにより、このデータ信号）は、オン状態のスイッチＴＦＴ２２１を介して保持キャパシタ２２３に保持される。この保持キャパシタ２２３の保持電圧は、駆動ＴＦＴ２２２のゲート電極（Ｇ）に印加されるので、電源線２３０に常時印加されている駆動電圧が駆動ＴＦＴ２２２により駆動電流に変換されて、そのドレイン電極（Ｄ）から有機ＥＬ素子２１０に供給される。
【００４０】
駆動電流の電流量は、保持キャパシタ２２３から駆動ＴＦＴ２２１のゲート電極（Ｇ）に印加される電圧に対応しており、有機ＥＬ素子２１０は、データ線Ｘ（ｍ）に供給されたデータ信号に対応した輝度で発光することになり、この動作状態は、スイッチＴＦＴ２２１がオフ状態とされても、保持キャパシタ２２３の保持電圧により維持される。
【００４１】
図４は、図１の電荷回収部１０４の内部構成を示す図である。電荷回収部１０４は、図４に示すように、電荷蓄積用コンデンサ３０１と、電荷回収回路３０２と、再利用タイミング生成回路３０３と、回収タイミング生成回路３０４とを備えている。電荷蓄積用コンデンサ３０１は、有機ＥＬ素子２１０の容量２１０ａに蓄えられた電荷を、画素回路２００にデータ信号を書き込む間に蓄積する。回収タイミング生成回路３０４は、有機ＥＬ素子２１０の容量２１０ａに蓄積された電荷を電荷蓄積用コンデンサ３０１に転送するための回収タイミング信号ＶＲＴ（１）〜ＶＲＴ（Ｎ）を生成して、電荷回収回路３０２に出力する。
【００４２】
再利用タイミング生成回路３０３は、電荷蓄積用コンデンサ３０１に蓄積された電荷を電圧安定化回路１０７に供給するための再利用タイミング信号ＶＧＡを生成して、電荷回収回路３０２に出力する。電荷回収回路３０２は、表示マトリクス部１０５の電荷回収線Ｌ（１，１）〜Ｌ（Ｎ，Ｍ）に接続されている。電荷回収回路３０２は、電荷回収線Ｌ（１，１）〜Ｌ（Ｎ，Ｍ）に接続されている各有機ＥＬ素子２１０の容量２１０ａに蓄積された電荷を、回収タイミング生成回路３０３から供給される回収タイミング信号ＶＲＴ（１）〜ＶＲＴ（Ｎ）に基づいて、電荷蓄積用コンデンサ３０１に転送して充電する。また、電荷回収回路３０２は、再利用タイミング生成回路３０３から入力される再利用タイミング信号ＶＧＡに基づいて、電荷蓄積用コンデンサ３０１に充電された電荷を電力ＶＱＣとして電圧安定化回路１０７に供給する。
【００４３】
図５は、電荷回収回路３０２の内部構成を示す回路図である。電荷回収回路３０２は、図５に示すように、放電用スイッチＴＦＴ４０１と、Ｎ×Ｍ個の充電用スイッチＴＦＴ４０２と、Ｎ×Ｍ個のダイオード４０３と、ダイオード４０４とを備えている。各充電用スイッチＴＦＴ４０２は、ゲート電極（Ｇ）が回収タイミング生成回路４０４に接続され、ソース電極（Ｓ）が各ダイオード４０３を介して回収ラインＬ（ｍ，ｎ）に接続され、ドレイン電極（Ｄ）が電荷蓄積用コンデンサ３０１の一端側に接続されている。
【００４４】
放電用スイッチＴＦＴ４０１は、そのゲート電極（Ｇ）が再利用タイミング生成回路３０３に接続されており、そのソース電極（Ｓ）は、逆流防止用ダイオード４０４を介して電圧安定回路１０７に接続され、そのドレイン電極（Ｄ）は、電荷蓄積用コンデンサ４０１の一端側に接続されている。また、電荷蓄積用コンデンサ３０１は、一端側が各充電用スイッチＴＦＴ４０２のドレイン電極（Ｄ）および放電用スイッチＴＦＴ４０１のソース電極（Ｓ）に接続され、他端側は接地されている。
【００４５】
次に、電荷回収部１０４の電荷の回収と利用の動作を図６のタイミングチャートを参照して説明する。図６は、電荷回収部１０４の電荷の回収と再利用の動作を説明するためのタイミングチャートである。同図において、Ｇｎ（１）〜Ｇｎ（Ｎ）は、走査線駆動回路１０３から出力される走査線Ｙ（１）〜Ｙ（Ｎ）の走査線選択信号を示しており、「Ｈレベル」でアクティブとなる。ＶＲＴ（１）〜ＶＲＴ（Ｎ）は、回収タイミング生成回路３０４から電荷回収回路３０２に出力される信号であり、各電荷回収線Ｌ（ｎ，ｍ）に接続される有機ＥＬ素子２１０の容量２１０ａに蓄積される電荷を、走査線Ｙ（ｎ）に接続される有機ＥＬ素子２１０単位で電荷蓄積用コンデンサ３０１に転送して充電するための回収タイミング信号を示しており、「Ｈレベル」でアクティブとなる。ＶＧＡは、再利用タイミング生成回路３０３から電荷回収回路３０２に供給される信号であり、電荷蓄積用コンデンサ３０１に蓄積された電荷を電圧安定化回路１０７に電力ＶＱＣとして供給するための再利用タイミング信号であり、「Ｈレベル」でアクティブとなる。
【００４６】
図６において、まず、走査線選択信号Ｇｎ（１）が「Ｈレベル」となると、走査線Ｙ（１）に接続される画素回路２００のスイッチＴＦＴ２２１がオン状態となり、この状態で、データ線Ｘ（１）〜Ｘ（Ｍ）に、有機ＥＬ素子２１０の発光輝度に対応したデータ信号を入力する。これにより、このデータ信号は、オン状態のスイッチＴＦＴ２２１を介して保持キャパシタ２２３に保持される。この保持キャパシタ２２３の保持電圧は、駆動ＴＦＴ２２２のゲート電極（Ｇ）に印加されるので、電源線２３０に常時印加されている駆動電圧が駆動ＴＦＴ２２２により駆動電流に変換されて、そのドレイン電極（Ｄ）から有機ＥＬ素子２１０に供給され、その容量２１０ｂに電荷が蓄積される。
【００４７】
走査線選択信号Ｇｎ（１）の「Ｈレベル」となるＴ１期間（１Ｈ：走査線選択期間）内に、走査線Ｘ（１）に接続される、すなわち電荷回収線Ｌ（１，１）〜Ｌ（１，Ｍ）に接続される有機ＥＬ素子２１０の容量２１０ａに蓄積される電荷の回収および再利用が行われる。具体的には、走査線選択信号Ｇｎ（１）が「Ｈレベル」となった直後に、回収タイミング信号ＶＲＴ（１）がＴ２期間（電荷蓄積期間）、「Ｈレベル」となる。これにより、電荷回収回路３０２の充電用ＴＦＴ４０２がオン状態となり、電荷回収ラインＬ（１，１）〜Ｌ（１，Ｍ）に接続される有機ＥＬ素子２１０の容量２１０ａに蓄積される電荷が、電荷蓄積用コンデンサ３０１に転送されて充電される。この後、回収タイミング信号ＶＲＴ（１）が「Ｌレベル」となり、再利用タイミング信号ＶＧＡがＴ３期間（電荷再利用期間）、「Ｈレベル」となる。これにより、電荷回収回路４０２の放電用ＴＦＴ４０１がオン状態となり、電荷蓄積用コンデンサ３０１に充電された電荷が放電されて、電力ＶＱＣが電圧安定化回路１０７に供給される。
【００４８】
同様に、走査線Ｙ（２）〜Ｙ（Ｎ）の走査線選択信号Ｇｎ（２）〜Ｇｎ（Ｎ）が「Ｈレベル」となる期間内に、それぞれ走査線Ｙ（２）〜Ｙ（Ｎ）に接続される有機ＥＬ素子２１０の容量２１０ａに蓄積される電荷の回収および再利用が行われる。
【００４９】
以上説明したように、実施例１によれば、表示マトリクス部１０５の行方向に沿って配列された画素回路２００群の各有機ＥＬ素子２１０に複数の電荷回収線Ｌ（Ｎ，Ｍ）を接続し、電荷回収部１０４は、有機ＥＬ素子２１０の容量２１０ａに蓄積される電荷を電荷回収線Ｌ（Ｎ，Ｍ）を介して回収して、電気光学装置のロジック回路部の少なくとも一部の電力として供給することとしたので、発光素子に蓄積される電荷を回収して、ロジック回路部で再利用することができ、アクティブ・マトリクス型の電気光学装置において、有機ＥＬ素子の駆動時にその消費電力を低減することができる。
【００５０】
また、実施例１によれば、電荷回収部１０４は、有機ＥＬ素子２１０の容量２１０ａに蓄積される電荷を蓄積するための電荷蓄積用コンデンサ３０１と、有機ＥＬ素子２１０に蓄積される電荷を電荷蓄積用コンデンサ３０１に転送するための回収タイミング信号を生成して、電荷回収回路３０２に出力する回収タイミング生成回路３０４と、電荷蓄積用コンデンサ３０１に蓄積された電荷をロジック回路部の少なくとも一部の電力として供給するための再利用タイミング信号を生成して、電荷回収回路３０２に出力する再利用タイミング生成回路３０３と、回収タイミング信号に従って、有機ＥＬ素子２１０の容量２１０ａに蓄積された電荷を電荷蓄積用コンデンサ３０１に転送し、また、再利用タイミング信号に従って、電荷蓄積用コンデンサ３０１に蓄積された電荷を、ロジック回路部の少なくとも一部の電力として供給する電荷回収回路３０２と、を有しているので、有機ＥＬ素子２１０に蓄積される電荷を電荷蓄積用コンデンサ３０１に転送して蓄積し、当該電荷蓄積用コンデンサ３０１に蓄積された電荷をロジック回路部の少なくとも一部の電力として利用することができ、簡単な回路構成および制御で有機ＥＬ素子に蓄積される電荷の回収および利用を行うことができる。
【００５１】
また、実施例１によれば、電荷回収部１０４は、走査線駆動回路１０３によって走査線Ｙ（ｎ）が選択される期間内に、当該選択された走査線Ｙ（ｎ）に接続される画素回路２１０群の有機ＥＬ素子２１０の容量２１０ａに蓄積される電荷を電荷蓄積用コンデンサ３０１に転送して充電し、かつ、当該電荷蓄積用コンデンサ３０１に蓄積される電荷を、ロジック回路部の少なくとも一部の電力として供給することとしたので、走査線選択期間内に、当該走査線に接続される画素回路２００群の有機ＥＬ素子２１０に蓄積される電荷の回収および利用を行うことができ、有機ＥＬ素子２１０に蓄積される電荷の効率的な回収および再利用を行うことができる。
【実施例２】
【００５２】
図７は実施例２にかかる電気光学装置５００の概略構成を示すブロック図である。実施例２に係る電気光学装置５００は、電荷蓄積用コンデンサを複数設け、有機ＥＬ素子２１０の発光閾値以上の電圧レベルの電力を再利用するものである。実施例２においては、実施例１と共通する部分の説明は省略し、異なる部分についてのみ説明する。
【００５３】
図７は、実施例２にかかる電気光学装置５００の概略構成を示すブロック図である。この電気光学装置５００は、電流駆動型の発光素子である有機ＥＬ素子を用いた有機ＥＬ装置である。実施例２に係る電気光学装置５００は、図７に示すように、コントローラ５０１と、データ線駆動回路５０２と、走査線駆動回路５０３と、電荷回収部５０４と、表示マトリクス部５０５と、プリチャージ回路５０６と、昇圧回路５０７と、バッテリ５０８と、逆流防止用ダイオード５０９と、安定化コンデンサ５１０とを備えている。
【００５４】
コントローラ５０１は、電気光学装置内の各部を制御するとともに、表示マトリクス部５０５に表示を行わせるための走査線駆動信号とデータ線駆動信号を生成して、走査線駆動回路５０３とデータ線駆動回路５０２にそれぞれ供給する。データ線駆動回路５０２は、表示マトリクス部５０５のデータ線を駆動する。走査線駆動回路５０３は、表示マトリクス部５０５の走査線を駆動する。電荷回収部５０４は、表示マトリクス部５０５の発光素子の容量に蓄積される電荷を回収して、プリチャージ回路５０６に供給する。
【００５５】
プリチャージ回路５０６は、表示マトリクス部５０５のデータ線に寄生する容量をプリチャージする。バッテリー５０８は、例えば、蓄電池や二次電池からなり、電源電圧を昇圧回路５０７に供給する。昇圧回路５０７は、例えば、昇圧チョッパ回路等により構成されており、バッテリー５０８から入力される電圧を所望の電圧Ｖｃｃに昇圧して、コントローラ５０１、データ線駆動回路５０２、走査線駆動回路５０３、および電荷回収部５０４等（接続線不図示）に供給するとともに、逆流防止用ダイオード５０９および安定化コンデンサ５１０を介して、プリチャージ回路５０６に供給する。逆流防止用ダイオード５０９は、電荷蓄積用コンデンサ（図９参照）の電荷が昇圧回路５０９へ流れ込むことを防止する。安定化コンデンサ５１０は昇圧回路５０９の出力電圧を安定化させる。
【００５６】
なお、実施例２においては、表示マトリクス部５０５以外の回路群（コントローラ５０１、データ線駆動回路５０２、走査線駆動回路５０３、電荷回収部５０４、プリチャージ回路５０６、昇圧回路５０７、バッテリ５０８、逆流防止用ダイオード５０９、および安定化コンデンサ５１０）がロジック回路部に該当する。
【００５７】
図８は、図７の表示マトリクス部５０５およびプリチャージ回路５０６の内部構造を示す図である。図８において、データ線Ｘ（ｍ）に寄生する寄生容量をＣ１で示している。プリチャージ回路５０６は、図８に示すように、プリチャージ電圧生成回路６０１と、プリチャージタイミング生成回路６０２と、プリチャージ電圧供給線６０３と、プリチャージ信号供給線６０４と、Ｍ個のプルアップ用ＴＦＴ６０５を備えている。
【００５８】
プリチャージ電圧生成回路５０６は、昇圧回路５０７および電荷回収部５０４から電力ＶＣＣＨが供給され、階調データを画素回路２１０に書き込む前に、データ線Ｙ（ｍ）の寄生容量Ｃ１を充電するためのプリチャージ電圧を生成して、プリチャージ電圧供給線６０３に供給する。プリチャージタイミング生成回路６０２は、データ線Ｙ（ｍ）の寄生容量Ｃ１を充電するためのプリチャージ信号ＰＲＥＩＮを生成し、プルアップ用ＴＦＴ６０５のゲート電極（Ｇ）を駆動する。
【００５９】
各プルアップ用ＴＦＴ６０５は、そのゲート電極（Ｇ）が、プリチャージ信号供給線６０４に接続され、ソース電極（Ｓ）がプリチャージ電圧供給線６０３に接続され、ドレイン電極（Ｄ）がデータ線Ｙ（ｍ）に接続されている。プルアップ用ＴＦＴ６０５は、プリチャージ信号ＰＲＥＩＮに応じて、プリチャージ電圧生成回路６０１から供給されるプリチャージ電圧をデータ線Ｙ（ｍ）に供給して、データ線Ｙ（ｍ）の寄生容量Ｃ１をプリチャージする。
【００６０】
図９は、実施例２に係る電荷回収部５０４の構成を示す図である。電荷回収部５０４は、２つの電荷蓄積コンデンサ７０１，７０２を備えている。図１０は、実施例２に係る電荷回収回路３０２の内部構成を示す回路図である。実施例２に係る電荷回収回路３０２は、図１０に示すように、Ｎ×Ｍ個の充電用スイッチＴＦＴ７０４と、Ｎ×Ｍ個のダイオード７０５と、第１放電用スイッチＴＦＴ７０３，第２放電用スイッチＴＦＴ７０７、第３放電用スイッチＴＦＴ７０８と、ダイオード７０６と、インバータ７０９とを備えている。
【００６１】
第１放電用スイッチＴＦＴ７０３は、そのゲート電極（Ｇ）が再利用タイミング生成回路３０３に接続されており、そのソース電極（Ｓ）が、逆流防止用のダイオード７０６を介してプリチャージ回路５０６に接続され、そのドレイン電極（Ｄ）が、電荷蓄積用コンデンサ７０１の一端側に接続されている。
【００６２】
各充電用スイッチＴＦＴ７０４は、ゲート電極（Ｇ）が回収タイミング生成回路３０４に接続され、ソース電極（Ｓ）が逆流防止用のダイオード７０５を介して回収ラインＬ（ｍ，ｎ）に接続されている。そのゲート電極（Ｇ）が電荷回収線Ｌ（１，１）〜Ｌ（Ｎ／２、Ｍ）に接続されている充電用スイッチＴＦＴ７０４のドレイン電極（Ｓ）は電荷蓄積用コンデンサ７０１の一端側に接続されている。また、そのゲート電極（Ｇ）が電荷回収線Ｌ（Ｎ／２＋１，１）〜Ｌ（Ｎ、Ｍ）に接続されている充電用スイッチＴＦＴ７０４のドレイン電極（Ｓ）は電荷蓄積用コンデンサ７０２の一端側に接続されている。すなわち、電荷回収線Ｌ（１，１）〜Ｌ（Ｎ／２、Ｍ）に接続されている有機ＥＬ素子２１０の容量２１０ａに蓄積される電荷は、電荷蓄積用コンデンサ７０１に転送されて充電され、電荷回収線Ｌ（Ｎ／２＋１，１）〜Ｌ（Ｎ、Ｍ）に接続されている有機ＥＬ素子２１０の容量２１０ａに蓄積される電荷は、電荷蓄積用コンデンサ７０２に転送されて充電される。
【００６３】
第２放電用スイッチＴＦＴ７０７は、そのゲート電極（Ｇ）がインバータ７０９を介して、再利用タイミング生成回路３０３に接続されており、そのソース電極（Ｓ）が、電荷蓄積用コンデンサ７０１の他端側および第３放電用スイッチＴＦＴ７０８のソース電極（Ｓ）に接続され、そのドレイン電極（Ｄ）は接地されている。第３放電用スイッチＴＦＴ７０８は、そのゲート電極（Ｇ）が再利用タイミング生成回路３０３に接続されており、そのソース電極（Ｓ）は、電荷蓄積用コンデンサ７０１の他端側および第２放電用スイッチＴＦＴ７０７のソース電極（Ｓ）に接続され、そのドレイン電極（Ｄ）は、電荷蓄積用コンデンサ７０２の一端側に接続されている。
【００６４】
電荷蓄積用コンデンサ７０１と７０２とは、第３放電用スイッチＴＦＴ７０８を介して直列接続されている。電荷蓄積用コンデンサ７０１は、その一端側が電荷回収線Ｌ（１，１）〜Ｌ（Ｎ／２、Ｍ）に接続されている充電用スイッチＴＦＴ７０４および第１放電用スイッチＴＦＴ７０３のドレイン電極（Ｄ）に接続され、その他端側が、第２放電用スイッチＴＦＴ７０７および第２放電用スイッチＴＦＴのソース電極（Ｓ）に接続されている。電荷蓄積用コンデンサ７０２は、その一端側が電荷回収線Ｌ（Ｎ／２＋１，１）〜Ｌ（Ｎ、Ｍ）に接続されている充電用スイッチＴＦＴ７０４のドレイン電極（Ｄ）および第２放電用スイッチＴＦＴ７０７のドレイン電極（Ｄ）に接続され、その他端側が接地されている。
【００６５】
次に、プリチャージ回路５０６の動作および電荷回収部５０４の電荷の回収と再利用の動作を図１１のタイミングチャートを参照して説明する。図１１は、プリチャージ回路５０６の動作および電荷回収部５０４の電荷の回収と再利用の動作を説明するためのタイミングチャートである。同図において、ＰＲＥＩＮは、プリチャージタイミング生成回路６０２からプルアップ用ＴＦＴ６０５のゲート電極（Ｇ）を供給されるプリチャージ信号を示しており、「Ｈレベル」でアクティブとなる。
【００６６】
図１１において、プリチャージ回路５０６によるプリチャージ動作は、各走査線Ｙ（ｎ）が選択される前に行われる。まず、プリチャージ信号ＰＲＥＩＮが「Ｈレベル」となると、プルアップ用ＴＦＴ６０５がオン状態となり、プリチャージ電圧供給線６０３を介して各データ線Ｘ（１）〜Ｘ（Ｍ）に電圧が供給されてデータ線Ｘ（１）〜Ｘ（Ｍ）の寄生容量Ｃ１が充電される。プリチャージ信号ＰＲＥＩＮが「Ｌレベル」となった後に、走査線選択信号Ｇ（１）が「Ｈレベル」となり、走査線Ｙ（１）に接続される画素回路２１０のスイッチＴＦＴ２２１がオン状態となり、この状態で、データ線Ｘ（１）〜Ｘ（ｍ）に、有機ＥＬ素子２１０の発光輝度に対応したデータ信号を入力する。
【００６７】
これにより、このデータ信号は、オン状態のスイッチＴＦＴ２２１を介して保持キャパシタ２２３に保持される。この保持キャパシタ２２３の保持電圧は、駆動ＴＦＴ２２２のゲート電極（Ｇ）に印加されるので、電源線２３０に常時印加されている駆動電圧が駆動ＴＦＴ２２２により駆動電流に変換されて、そのドレイン電極（Ｄ）から有機ＥＬ素子２１０に供給され、有機ＥＬ素子２１０の容量２１０ａに電荷が蓄積される。
【００６８】
走査線選択信号Ｇｎ（１）が「Ｈレベル」のＴ１期間（１Ｈ：走査線選択期間）内に、走査線Ｘ（１）に接続される有機素子２１０の容量２０１ａに蓄積される電荷の回収および再利用が行われる。具体的には、走査線選択信号Ｇｎ（１）が「Ｈレベル」となった直後に、回収タイミング信号ＶＲＴ（１）がＴ２期間（電荷蓄積期間）、「Ｈレベル」となり、これにより、電荷回収回路３０２の充電用ＴＦＴ７０４がオン状態となって、走査線Ｙ（１）に接続される、すなわち電荷回収線Ｌ（１，１）〜Ｌ（１，Ｍ）に接続される有機ＥＬ素子２１０の容量２１０ａに蓄積される電荷が電荷蓄積用コンデンサ７０１に転送されて充電される。
【００６９】
回収タイミング信号ＶＲＴ（１）が「Ｌレベル」となり、電荷蓄積用コンデンサ７０１の充電動作が終了すると、再利用タイミング信号ＶＧＡがＴ３期間（電荷再利用期間）、「Ｈレベル」となる。これにより、電荷回収回路３０２の第１放電用ＴＦＴ７０３がオン状態、第２充電用ＴＦＴ７０７がＯＦＦ状態、第３充電用ＴＦＴ７０８がＯＮ状態となって、電荷蓄積用コンデンサ７０１，７０２が導通状態となり、チャージポンプ動作が行わわれ、直列接続される電荷蓄積用コンデンサ７０１，７０２に蓄積される電荷が第１放電用スイッチＴＦＴ７０３のソース電極（Ｓ）を介して、電力ＶＱＣとしてプリチャージ回路５０６に供給される。
【００７０】
同様に、走査線Ｙ（２）〜Ｙ（Ｎ）の走査線選択信号Ｇｎ（２）〜Ｇｎ（Ｎ）が「Ｈレベル」となる期間内に、それぞれ走査線Ｙ（２）〜Ｙ（Ｎ）に接続される有機ＥＬ素子２１０の容量２１０ａに蓄積される電荷の回収および再利用が行われる。
【００７１】
以上説明したように、実施例２によれば、電荷蓄積用コンデンサ７０１，７０２を直列接続し、電荷蓄積用コンデンサ７０１，７０２の電荷を、プリチャージ回路５０６に電力として供給することとしたので、これにより、直列接続された電荷蓄積用コンデンサ７０１，７０２の電荷をプリチャージ回路５０６に供給することができ、有機ＥＬ素子２１０の発光閾値電圧以上の電力をプリチャージ回路５０６に供給することができる。
【００７２】
なお、本発明は、上記実施例１〜２に限定されるものではなく、各実施例を組み合わせて実施することも可能である。また、本発明は、有機ＥＬ素子以外の発光素子を用いた電気光学装置にも適用可能である。例えば、駆動電流に応じて発光の階調が調整可能な他の種類の発光素子（ＬＥＤやＦＥＤ（Field Emission Display）など）を有する電気光学装置にも適用することができる。
【００７３】
（電子機器への適用例）
つぎに、本発明に係る電気光学装置を適用可能な電子機器の具体例について図１２〜図１４を参照して説明する。図１２は、本発明に係る電気光学装置を可搬型のパーソナルコンピュータ（いわゆるノート型パソコン）８００の表示部に適用した例を示す斜視図である。同図に示すように、パーソナルコンピュータ８００は、キーボード８０１を備えた本体部８０２と、本発明に係る電気光学装置を適用した表示部８０３とを備えている。
【００７４】
図１３は、本発明に係る電気光学装置を携帯電話機９００の表示部に適用した例を示す斜視図である。同図に示すように、携帯電話機９００は、複数の操作ボタン９０１のほか、受話口９０２、送話口９０３とともに、本発明に係る電気光学装置を適用した表示部９０４を備えている。
【００７５】
図１４は、本発明に係る電気光学装置をディジタルスチルカメラ１０００の表示パネルに適用した例を示す斜視図である。なお、外部機器との接続についても簡易的に示している。通常のカメラは、被写体の光像によってフィルムを感光するのに対し、ディジタルスチルカメラ１０００は、被写体の光像をＣＣＤ（Charge Coupled Device)等の撮像素子の光電変換によって撮像信号を生成するものである。ここで、ディジタルスチルカメラ１０００のケース１００１の背面には、本発明に係る電気光学装置を用いた表示パネル１００２０が設けられており、ＣＣＤによる撮像信号に基づいて表示が行われる。このため、表示パネル１００２は、被写体を表示するファイダとして機能する。また、ケース１００１の観察側（図においては裏面側）には、光学レンズやＣＣＤ等を含んだ受光ユニット１００３が設けられている。
【００７６】
ここで、撮影者が表示パネル１００２に表示された被写体像を確認して、シャッタボタン１００４を押下すると、その時点におけるＣＣＤの撮像信号が、回路基板１００５のメモリに転送・格納される。また、このディジタルスチルカメラ１０００にあっては、ケース１００１の側面に、ビデオ信号出力端子１００６と、データ通信用の入出力端子１００７とが設けられている。そして、図に示されるように、前者のビデオ信号出力端子１００６には、テレビモニタ３０００が、また、後者のデータ通信用の入出力端子１００７にはパーソナルコンピュータ２０００が、それぞれ必要に応じて接続される。さらに、所定の操作によって、回路基板１００５のメモリに格納された撮像信号が、テレビモニタ３０００や、パーソナルコンピュータ２０００に出力される。
【００７７】
本発明に係る電気光学装置は、上述した携帯電話機、ノートパソコン、およびディジタルスチルカメラ以外にも、ＰＤＡ（Personal Digital Assistants）と呼ばれる携帯型情報機器、パーソナルコンピュータ、ワークステーション、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く適用することができる。
【産業上の利用可能性】
【００７８】
本発明の電気光学装置は、有機ＥＬ表示装置、ＬＥＤ表示装置、ＦＥＤ表示装置、エレクトロミック調光ガラス、電子ペーパー、照明装置、およびプリンタヘッド等に広く利用可能である。また、本発明に係る電子機器は、携帯電話機、ＰＤＡ（Personal Digital Assistants）と呼ばれる携帯型情報機器、携帯型パーソナルコンピュータ、パーソナルコンピュータ、ワークステーション、ディジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、テレビ電話機、およびＰＯＳ端末機などの電子機器に広く利用することができる。
【図面の簡単な説明】
【００７９】
【図１】実施例１にかかる電気光学装置の概略構成を示すブロック図。
【図２】表示マトリクス部の内部構造を示す図。
【図３】画素回路の内部構成を示す回路図。
【図４】電荷回収部の内部構成を示す図。
【図５】電荷回収回路の内部構成を示す回路図。
【図６】電荷回収部の電荷の回収と利用の動作を説明するためのタイミングチャート。
【図７】実施例２にかかる電気光学装置５００の概略構成を示すブロック図。
【図８】表示マトリクス部およびプリチャージ回路の内部構造を示す図。
【図９】電荷回収部の内部構成を示す図。
【図１０】電荷回収回路の内部構成を示す回路図。
【図１１】プリチャージ回路の動作および電荷回収部の電荷の回収と利用の動作を説明するためのタイミングチャート。
【図１２】本発明に係る電気光学装置を可搬型のパーソナルコンピュータの表示部に適用した例を示す斜視図。
【図１３】本発明に係る電気光学装置を携帯電話機の表示部に適用した例を示す斜視図。
【図１４】本発明に係る電気光学装置をディジタルスチルカメラの表示パネルに適用した例を示す斜視図。
【符号の説明】
【００８０】
１００  電気光学装置、１０１  コントローラ、１０２  データ線駆動回路、１０３  走査線駆動回路、１０４  電荷回収部１０４、１０５  表示マトリクス部、１０６  昇圧回路、１０７  電圧安定化回路、１０８  バッテリ、１０９  逆流防止用ダイオード、１１０  安定化コンデンサ、２００  画素回路、２１０  有機ＥＬ素子、２２０  素子駆動回路、２２１  スイッチＴＦＴ、２２２  駆動ＴＦＴ、２２３  保持キャパシタ、３０１  電荷蓄積用コンデンサ、３０２  電荷回収回路、３０３  再利用タイミング生成回路、３０４  回収タイミング生成回路、４０１  放電用スイッチＴＦＴ、４０２  充電用スイッチＴＦＴ、４０３，４０４  ダイオード、５００  電気光学装置、５０１  コントローラ、５０２  データ線駆動回路、５０３  走査線駆動回路、５０４  電荷回収部、５０５  表示マトリクス部、５０６  プリチャージ回路、５０７  昇圧回路、５０８  バッテリ、５０９  逆流防止用ダイオード、５１０  安定化コンデンサ、６０１  プリチャージ電圧生成回路、６０２  プリチャージタイミング生成回路、６０３  プリチャージ電圧供給線、６０４  プリチャージ信号供給線、６０５  プルアップ用ＴＦＴ、７０１，７０２  電荷蓄積コンデンサ、７０３  第１放電用スイッチＴＦＴ、７０４  充電用スイッチＴＦＴ、７０５，７０６  ダイオード、７０７  第２放電用スイッチＴＦＴ、７０８  第３放電用スイッチＴＦＴ、７０９  インバータ、８００  パーソナルコンピュータ、８０１  キーボード、８０２  本体部、８０３  表示部、９００  携帯電話機、９０１  操作ボタン、９０２  受話口、９０３  送話口、９０４  表示部、１０００  ディジタルスチルカメラ、１００１  ケース、１００２  表示パネル１００２、１００３  受光ユニット、１００４  シャッタボタン、１００５  回路基板、１００６  ビデオ信号出力端子、１００７  通信用入出力端子、２０００  パーソナルコンピュータ、３０００  テレビモニタ
【図１】
2005227337.tif 000003
【図２】
2005227337.tif 000004
【図３】
2005227337.tif 000005
【図４】
2005227337.tif 000006
【図５】
2005227337.tif 000007
【図６】
2005227337.tif 000008
【図７】
2005227337.tif 000009
【図８】
2005227337.tif 000010
【図９】
2005227337.tif 000011
【図１０】
2005227337.tif 000012
【図１１】
2005227337.tif 000013
【図１２】
2005227337.tif 000014
【図１３】
2005227337.tif 000015
【図１４】
2005227337.tif 000016